(57)【要約】      （修正有）【課題】液面レベルの変化を抑制して血液の圧力をより正確に測定することができる圧力測定用チャンバを具備した血液浄化装置を提供する。【解決手段】血液回路と、血液ポンプと、血液回路を流れる血液を浄化するダイアライザと、血液回路を流れる血液の圧力測定を行う圧力測定用チャンバ４と、血液回路を流れる血液を除泡するドリップチャンバとを具備した血液浄化装置において、圧力測定用チャンバ４は、収容空間４ａの下部に形成され、当該収容空間４ａの底面近傍で開口しつつ血液を導入する血液導入部４ｂと、血液導入部４ｂに対して微小寸法ｔのクリアランスを介して互いの開口が対向する位置まで延設されるとともに血液導入部４ｂの開口の略全域を覆って開口し、当該血液導入部４ｂから導入された血液を導出する血液導出部４ｃとを有したものである。【選択図】図５
2008132196.tif 000002
【特許請求の範囲】
【請求項１】
患者の血液を体外循環させる動脈側血液回路及び静脈側血液回路から成る血液回路と、
前記動脈側血液回路に配設された血液ポンプと、
前記動脈側血液回路と静脈側血液回路との間に接続され、当該血液回路を流れる血液を浄化する血液浄化手段と、
前記血液回路の途中に接続されて所定容量の収容空間を有するとともに、当該収容空間から当該血液回路を流れる血液の圧力測定を行うための圧モニタラインが延設された圧力測定用チャンバと、
前記血液回路における前記圧力測定用チャンバの接続部位よりも下流側に接続され、当該血液回路を流れる患者の血液を除泡するドリップチャンバと、
を具備した血液浄化装置において、
前記圧力測定用チャンバは、
前記収容空間の下部に形成され、当該収容空間の底面近傍で開口しつつ血液を導入する血液導入部と、
該血液導入部に対して微小寸法のクリアランスを介して互いの開口が対向する位置まで延設されるとともに、前記血液導入部の開口の略全域を覆って開口し、当該血液導入部から導入された血液を導出する血液導出部と、
を有したものであることを特徴とする血液浄化装置。
【請求項２】
前記動脈側血液回路、血液浄化手段及び静脈側血液回路には予めプライミング液が充填されるとともに、前記圧力測定用チャンバは、前記血液ポンプの駆動により、収容空間内において上部がプライミング液、下部が血液から成る液層が形成されることを特徴とする請求項１記載の血液浄化装置。
【請求項３】
前記圧力測定用チャンバにおける血液導入部は、その開口が前記血液導出部の開口内に入り込むことによりオーバーラップして成ることを特徴とする請求項１又は請求項２記載の血液浄化装置。
【請求項４】
前記圧力測定用チャンバにおける血液導入部と血液導出部との間の微小寸法のクリアランスには、メッシュが形成されたことを特徴とする請求項１又は請求項２記載の血液浄化装置。
【発明の詳細な説明】
【技術分野】
【０００１】
本発明は、患者の血液を体外循環させる血液回路の途中に圧力測定用チャンバが接続された血液浄化装置に関するものである。
【背景技術】
【０００２】
一般に、血液浄化療法、例えば透析治療においては、患者の血液を体外循環させるべく可撓性チューブから成る血液回路を具備した血液透析装置が使用されている。この血液透析装置における血液回路は、患者から血液を採取する動脈側穿刺針が先端に取り付けられた動脈側血液回路と、患者に血液を戻す静脈側穿刺針が先端に取り付けられた静脈側血液回路とから主に成り、これら動脈側血液回路と静脈側血液回路との間にダイアライザを介在させ、体外循環する血液の浄化を行っている。
【０００３】
また、血液回路（動脈側血液回路及び静脈側血液回路の少なくとも一方）の途中には、当該血液回路における流路よりも大きな内径の収容空間を内部に有した樹脂成形品から成るドリップチャンバが接続されている。このドリップチャンバには、例えば特許文献１にて開示されているように、収容空間に形成された空気層側から圧モニタラインが延設されており、その延設端に圧力計測手段が接続されている。即ち、除泡と共に圧モニタラインにて透析治療中の患者の血圧を監視し得るように構成されているのである。
【０００４】
上記ドリップチャンバは、体外循環する血液の除泡を行いつつ当該血液の圧力を監視するものであるため、除泡作用により補足された空気により収容空間内の液面レベル（血液の液面の位置）が変化してしまい、体外循環する血液の圧力を正確に計測することが困難となっている。従って、通常、ドリップチャンバには、別個のレベル調整ラインが接続されている。
【０００５】
かかるレベル調整ラインは、ドリップチャンバの気層側から延設され、先端にシリンジ等が接続されたもので、当該シリンジによって空気層への空気の挿入又は空気層からの空気の取り出しを行えば、ドリップチャンバ内における液面レベルを調整することができるようになっているものであり、これにより体外循環する血液の圧力を正確に計測することができる。
【特許文献１】特開２００６−１０２２３７号公報
【発明の開示】
【発明が解決しようとする課題】
【０００６】
しかしながら、上記従来の血液浄化装置におけるドリップチャンバは、圧モニタラインに加え、液面レベル調整のためのレベル調整ラインが必要とされるため、一つのチャンバから複数のラインが延設されることとなり、取り扱いが不便であり各ラインの接続ミスを誘発する原因となっていた。然るに、ドリップチャンバを除泡専用のものとし、それとは別個に血液の圧力を測定するチャンバ（圧力測定用チャンバ）を具備させることも考えられるが、その場合、当該圧力測定用チャンバ内を流通する血液から気泡が生じたとき、その空気により液面レベルが変化してしまい、血液の圧力を正確に計測することが困難となってしまう。
【０００７】
本発明は、このような事情に鑑みてなされたもので、液面レベルの変化を抑制して血液の圧力をより正確に測定することができる圧力測定用チャンバを具備した血液浄化装置を提供することにある。
【課題を解決するための手段】
【０００８】
請求項１記載の発明は、患者の血液を体外循環させる動脈側血液回路及び静脈側血液回路から成る血液回路と、前記動脈側血液回路に配設された血液ポンプと、前記動脈側血液回路と静脈側血液回路との間に接続され、当該血液回路を流れる血液を浄化する血液浄化手段と、前記血液回路の途中に接続されて所定容量の収容空間を有するとともに、当該収容空間から当該血液回路を流れる血液の圧力測定を行うための圧モニタラインが延設された圧力測定用チャンバと、前記血液回路における前記圧力測定用チャンバの接続部位よりも下流側に接続され、当該血液回路を流れる患者の血液を除泡するドリップチャンバとを具備した血液浄化装置において、前記圧力測定用チャンバは、前記収容空間の下部に形成され、当該収容空間の底面近傍で開口しつつ血液を導入する血液導入部と、該血液導入部に対して微小寸法のクリアランスを介して互いの開口が対向する位置まで延設されるとともに、前記血液導入部の開口の略全域を覆って開口し、当該血液導入部から導入された血液を導出する血液導出部とを有したものであることを特徴とする。
【０００９】
請求項２記載の発明は、請求項１記載の血液浄化装置において、前記動脈側血液回路、血液浄化手段及び静脈側血液回路には予めプライミング液が充填されるとともに、前記圧力測定用チャンバは、前記血液ポンプの駆動により、収容空間内において上部がプライミング液、下部が血液から成る液層が形成されることを特徴とする。
【００１０】
請求項３記載の発明は、請求項１又は請求項２記載の血液浄化装置において、前記圧力測定用チャンバにおける血液導入部は、その開口が前記血液導出部の開口内に入り込むことによりオーバーラップして成ることを特徴とする。
【００１１】
請求項４記載の発明は、請求項１又は請求項２記載の血液浄化装置において、前記圧力測定用チャンバにおける血液導入部と血液導出部との間の微小寸法のクリアランスには、メッシュが形成されたことを特徴とする。
【発明の効果】
【００１２】
請求項１の発明によれば、圧力測定用チャンバは、収容空間の下部に形成され、当該収容空間の底面近傍で開口しつつ血液を導入する血液導入部と、該血液導入部に対して微小寸法のクリアランスを介して互いの開口が対向する位置まで延設されるとともに、血液導入部の開口の略全域を覆って開口し、当該血液導入部から導入された血液を導出する血液導出部とを有しているので、血液導入部から導入された血液中の気泡が確実に血液導出口から導出されることとなる。従って、収容空間内に気泡が溜まってしまうのを抑制し、液面レベルの変化を抑制して血液の圧力をより正確に測定することができる。
【００１３】
請求項２の発明によれば、圧力測定用チャンバは、血液ポンプの駆動により、収容空間内において上部がプライミング液、下部が血液から成る液層が形成されるので、血液が気層の空気に接触するのを回避して、血栓が促進されたり或いは泡立ちが生じたりするのを回避することができる。また、血液は収容空間における液層の下部に僅かに溜まるだけなので、体外循環血液量を減少させ、患者への負担を軽減することができる。
【００１４】
請求項３の発明によれば、圧力測定用チャンバにおける血液導入部は、その開口が血液導出部の開口内に入り込むことによりオーバーラップして成るので、血液導入部から導入された血液中の気泡をより確実に血液導出口に導き導出することができ、液面レベルの変化をより確実に抑制して血液の圧力を正確に測定することができる。
【００１５】
請求項４の発明によれば、圧力測定用チャンバにおける血液導入部と血液導出部との間の微小寸法のクリアランスには、メッシュが形成されているので、収容空間内に混入した異物等をメッシュにて補足することができ、その異物等が血液導出部から導出して血液回路内へ流れてしまうのを回避することができる。
【発明を実施するための最良の形態】
【００１６】
以下、本発明の実施形態について図面を参照しながら具体的に説明する。
第１の実施形態に係る血液浄化装置は、患者の血液を体外循環させつつ浄化するためのもので、透析治療で使用される透析装置に適用されたものである。かかる透析装置は、図１に示すように、血液浄化手段としてのダイアライザ２が接続された血液回路１、ダイアライザ２に透析液を供給しつつ除水する透析装置本体６から主に構成されている。血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。
【００１７】
動脈側血液回路１ａには、その先端に動脈側穿刺針ａが接続されているとともに、途中にしごき型の血液ポンプ３、圧力測定用チャンバ４及び除泡用のドリップチャンバ５（動脈側ドリップチャンバ）が配設及び接続されている。また、動脈側血液回路１ａの途中からは、途中に生理食塩水用ドリップチャンバ９を有した生理食塩水ライン１０が延設されており、先端には生理食塩水を収容した生食バッグ８が接続されている。一方、静脈側血液回路１ｂには、その先端に静脈側穿刺針ｂが接続されているとともに、途中に除泡用のドリップチャンバ１２（静脈側ドリップチャンバ）及び気泡検出器１１が接続されている。
【００１８】
尚、圧力測定用チャンバ４は、動脈側血液回路１ａにおける生理食塩水ライン１０との接続部位と血液ポンプ３の配設部位との間に接続されており、ドリップチャンバ５は、当該圧力測定用チャンバ４の接続部位より下流側であって血液ポンプ３の配設部位とダイアライザ２の接続部位との間に接続されている。また、気泡検出器１１は、気泡を検出するセンサ１１ａと気泡が検出されたときに静脈側血液回路１ｂを遮断するクランプ１１ｂとから主に構成されたものである。図１中、符号１２は、血液回路１を流れる血液に薬剤等を投与するためのシリンジポンプを示している。
【００１９】
そして、動脈側穿刺針ａ及び静脈側穿刺針ｂを患者に穿刺した状態で、血液ポンプ３を駆動させると、患者の血液は、動脈側血液回路１ａを通ってダイアライザ２に至り、該ダイアライザ２によって血液浄化が施され、ドリップチャンバ４で除泡がなされつつ静脈側血液回路１ｂを通って患者の体内に戻る。即ち、患者の血液を血液回路１にて体外循環させつつダイアライザ２にて浄化するのである。
【００２０】
尚、血液浄化治療前には、予め動脈側血液回路１ａ、ダイアライザ２の血液流路及び静脈側血液回路１ｂにプライミング液として生理食塩水（例えば生食バッグ８内の生理食塩水を血液回路１内に流して血液の流路を洗浄した後、充填させたもの）が満たされており、血液ポンプ３を駆動させると、当該生理食塩水が動脈側血液回路１ａ先端から次第に血液と置換されることとなる。
【００２１】
ダイアライザ２は、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体６から延設された透析液導入ラインＬ１及び透析液排出ラインＬ２とそれぞれ接続されている。
【００２２】
ダイアライザ２内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の不純物等が透析液内に透過し得るよう構成されている。
【００２３】
一方、透析装置本体６内には、図示しない複式ポンプや除水ポンプ等が配設されており、上記ダイアライザ２の作用と併せて血液回路１を体外循環する血液に対して透析治療を施し得るようになっている。更に、透析装置本体６内には、圧力計７が形成されており、この圧力計７は圧力測定用チャンバ４から延設された圧モニタラインＬ３と図示しないフィルタ等を介して接続されている。
【００２４】
ここで、圧力測定用チャンバ４は、動脈側血液回路１ａ（血液回路１）の途中に接続されて所定容量の収容空間４ａを有するとともに、当該収容空間４ａから当該動脈側血液回路１ａを流れる血液の圧力測定を行うための圧モニタラインＬ３が延設されたものである。具体的には、かかる圧力測定用チャンバ４は、図２に示すように、ケースＣ内に収容空間４ａが形成されており、その下部に形成された血液導入部４ｂと、側面から延設された血液導出部４ｃとを有している。
【００２５】
血液導入部４ｂは、収容空間４ａの底面近傍で上方を向いて開口しつつ、動脈側血液回路１ａを流れる血液を下方から上方に向けて導入し得る部位である。また、血液導出部４ｃは、血液導入部４ｂに対して微小寸法ｔのクリアランスを介して互いの開口（４ｂａ、４ｂｃ）が対向する位置まで延設（本実施形態のものは屈曲形成）されるとともに、血液導入部４ｂの開口４ｂａの全域を覆って開口し（図３参照）、当該血液導入部４ｂから導入された血液を収容空間４ａ外（即ち、動脈側血液回路１ａの下流側）へ導出するものである。
【００２６】
即ち、血液導出部４ｃの開口４ｃａの方が血液導入部４ｂの開口４ｂａより大きく設定されているとともに、開口４ｃａが微小クリアランスを介して開口４ｂａの上方を覆っている（開口４ｂａの投影面積が開口４ｃａの開口内に全て収まっている状態）ため、当該血液導入部４ｂから導かれた血液或いはプライミング液としての生理食塩水は、クリアランスを介して収容空間４ａ内に充填される一方、そのほとんどが血液導出部４ｃから導出されるようになっているのである。
【００２７】
次に、上記実施形態の作用について説明する。
血液浄化治療前に、予め動脈側血液回路１ａ、ダイアライザ２の血液流路及び静脈側血液回路１ｂにプライミング液として生理食塩水を充填しておいた後、動脈側穿刺針ａ及び静脈側穿刺針ｂを患者に穿刺して、血液ポンプ３を駆動させる。これにより、圧力測定用チャンバ４内において、血液導入部４ｂから生理食塩水が導かれ、図４に示すように、収容空間４ａ内に生理食塩水単一の層（生理食塩水層α）が形成されることとなる。
【００２８】
その後、血液ポンプ３の駆動に伴って血液回路１内の生理食塩水が順次血液と置換されていくと、圧力測定用チャンバ４内において、血液導入部４ｂから血液が導かれることとなり、図５に示すように、収容空間４ａ内に上部が生理食塩水（生理食塩水層α）、下部が血液（血液層β）から成る２重の液層が形成されることとなる。このとき、血液導入部４ｂの開口４ｂａと血液導出部４ｃの開口４ｃａとの間のクリアランスが収容空間４ａの底面近傍であることから、血液層βの血液は、当該収容空間４ａの下部に僅かに溜まるだけである。
【００２９】
従って、血液層βの血液を僅かな量に抑制できることから、体外循環血液量を減少させ、患者への負担を軽減することができる。また、収容空間４ａ内の血液層βは、生理食塩水層αの下部とされるため、気層γと直接接触触れることがない。従って、血液層βの血液が気層γの空気に接触するのを回避して、血栓が促進されたり或いは泡立ちが生じたりするのを回避することができる。
【００３０】
また、圧力測定用チャンバ４は、収容空間４ａの底面近傍で開口しつつ血液を導入する血液導入部４ｂと、該血液導入部４ｂに対して微小寸法ｔのクリアランスを介して互いの開口が対向する位置まで延設されるとともに、血液導入部４ｂの開口の略全域を覆って開口し（血液導入部４ｂの開口の投影面積が血液導出部４ｃの開口内に収まった状態）、当該血液導入部４ｂから導入された血液を導出する血液導出部４ｃとを有しているので、血液導入部４ｂから導入された血液中の気泡が確実に血液導出口４ｃから導出されることとなる。
【００３１】
即ち、血液導入部４ｂから導入された血液中に含有する気泡は、血液よりも比重が軽いため上方へ流れる性質を有し、且つ、血液の流れに沿って移動するので、クリアランスを介して血液層β側へ至ることが回避され、血液導出部４ｃからスムーズに導出されるのである。従って、収容空間４ａ内に気泡が溜まってしまうのを抑制し、当該収容空間４ａ内の液面レベルの変化を抑制することができる。
【００３２】
この状態で、気層４ａ側と圧力計７とは、圧モニタラインＬ３を介して連通することとなり、当該圧力計７により測定された値が動脈側血液回路１ａ（血液ポンプ３より上流側）を流れる血液の圧力を示すこととなる。しかして、本実施形態においては、既述のように、収容空間４ａ内の液面レベルの変化が抑制されているので、血液の圧力をより正確に測定することができる。
【００３３】
尚、血液導出部４ｃから導出された血液に含まれる気泡は、下流側のドリップチャンバ５に至り、そこで気泡が除去されることとなる。このように、本実施形態においては、圧力測定用チャンバ４は専ら動脈側の血液の圧力を測定し、その流れる血液に含まれる気泡は下流のドリップチャンバ５で除去されるようになっている。よって、ダイアライザ２内に気泡が至ってしまうのを回避することができる。
【００３４】
次に、本発明の第２の実施形態について説明する。
本実施形態に係る血液浄化装置は、先の実施形態と同様、患者の血液を体外循環させつつ浄化するためのもので、透析治療で使用される透析装置に適用されたものである。かかる透析装置は、図１で示すものと略同様なものとされ、動脈側血液回路１ａに接続される圧力測定用チャンバのみが異なるものである。尚、先の実施形態と同一の構成要素には同一の符号を付すこととし、その詳細な説明を省略する。
【００３５】
本実施形態に係る圧力測定用チャンバ４’は、図６に示すように、そのケースＣ内に収容空間４ａが形成されており、その下部に形成された血液導入部４ｂ’と、上面から下方に延設された血液導出部４ｃ’とを有している。血液導入部４ｂ’は、収容空間４ａの底面近傍で上方を向いて開口しつつ、動脈側血液回路１ａを流れる血液を下方から上方に向けて導入し得る部位である。
【００３６】
また、血液導出部４ｃ’は、血液導入部４ｂ’に対して微小寸法ｔのクリアランスを介して互いの開口が対向する位置まで延設（本実施形態のものは垂下）されるとともに、血液導入部４ｂ’の開口の全域を覆って開口し（血液導出部４ｂ’の開口の径が血液導入部４ｃ’の開口より大きい）、当該血液導入部４ｂ’から導入された血液を収容空間４ａ外（即ち、動脈側血液回路１ａの下流側）へ導出するものである。ここで、血液導入部４ｂ’の開口は、血液導出部４ｃ’の開口内に入り込んで構成され、オーバーラップしている。
【００３７】
かかる圧力測定用チャンバ４’は、先の実施形態と同様、血液ポンプ３を駆動することにより、上部が生理食塩水（生理食塩水層α）、下部が血液（血液層β）から成る２重の液層が形成され、血液層βの血液は、当該収容空間４ａの下部に僅かに溜まるだけである。尚、血液導出部４ｃ’から導出された血液に含まれる気泡は、下流側のドリップチャンバ５（図１参照）に至り、そこで気泡が除去されることとなる。
【００３８】
本実施形態によれば、圧力測定用チャンバ４’における血液導入部４ｂ’と血液導出部４ｃ’の開口は、オーバーラップして成るので、血液導入部４ｂ’から導入された血液中の気泡をより確実に血液導出口４ｃ’に導き導出することができ、液面レベルの変化をより確実に抑制して血液の圧力を正確に測定することができる。
【００３９】
次に、本発明の第３の実施形態について説明する。
本実施形態に係る血液浄化装置は、先の実施形態と同様、患者の血液を体外循環させつつ浄化するためのもので、透析治療で使用される透析装置に適用されたものである。かかる透析装置は、図１で示すものと略同様なものとされ、動脈側血液回路１ａに接続される圧力測定用チャンバのみが異なるものである。尚、先の実施形態と同一の構成要素には同一の符号を付すこととし、その詳細な説明を省略する。
【００４０】
本実施形態に係る圧力測定用チャンバ４”は、図７に示すように、そのケースＣ内に収容空間４ａが形成されており、その下部に形成された血液導入部４ｂ”と、上面から下方に延設された血液導出部４ｃ”とを有している。血液導入部４ｂ”は、収容空間４ａの底面近傍で上方を向いて開口しつつ、動脈側血液回路１ａを流れる血液を下方から上方に向けて導入し得る部位である。
【００４１】
また、血液導出部４ｃ”は、血液導入部４ｂ”に対して微小寸法ｔのクリアランスを介して互いの開口が対向する位置まで延設（本実施形態のものは垂下）されるとともに、血液導入部４ｂ”の開口の全域を覆って開口し（両開口の径が略同一且つ略同心）、当該血液導入部４ｂ”から導入された血液を収容空間４ａ外（即ち、動脈側血液回路１ａの下流側）へ導出するものである。ここで、血液導入部４ｂ”の開口と血液導出部４ｃ”の開口との間のクリアランスには、メッシュ４ｄが形成されている。
【００４２】
かかる圧力測定用チャンバ４”は、先の実施形態と同様、血液ポンプ３を駆動することにより、上部が生理食塩水（生理食塩水層α）、下部が血液（血液層β）から成る２重の液層が形成され、血液層βの血液は、当該収容空間４ａの下部に僅かに溜まるだけである。尚、血液導出部４ｃ”から導出された血液に含まれる気泡は、下流側のドリップチャンバ５（図１参照）に至り、そこで気泡が除去されることとなる。
【００４３】
本実施形態によれば、圧力測定用チャンバ４”における血液導入部４ｂ”と血液導出部４ｃ”との間の微小寸法ｔのクリアランスには、メッシュ４ｄが形成されているので、収容空間４ａ内に混入した異物等をメッシュ４ｄにて補足することができ、その異物等が血液導出部４ｃ”から導出して血液回路１内へ流れてしまうのを回避することができる。
【００４４】
以上、本実施形態について説明したが、本発明は上記のものに限定されず、例えば血液回路に接続されるべき圧力測定用チャンバが、図８に示すように、血液導入部４ｂを収容空間４ａ内に延設させず、血液導出部４ｃのみを収容空間４ａ内で延設させて、互いの開口を対向させたもの、或いは図９に示すように、血液導入部４ｂと血液導出部４ｃとの間のクリアランスがスリット４ｅにて形成されたものとしてもよい。尚、スリット４ａに代えて単なる孔（丸孔等）を形成するようにしてもよい。
【００４５】
また、血液導入部４ｂと血液導出部４ｃは、上記実施形態の如くそれぞれの軸が互いに一致しているものに限定されず、例えば図１０に示すように、血液導入部４ｂの軸と血液導出部４ｃの軸とが略平行にずれたものとしてもよく、或いは図１１に示すように、何れか一方（同図においては血液導入部４ｂ）が他方（同血液導出部４ｃ）の軸に対して所定角度傾斜して延設されていてもよい。但し、この場合であっても、血液導出部４ｃは、血液導入部４ｂの開口の略全域を覆って開口し（血液導入部４ｂの開口の投影面積が血液導出部４ｃの開口内に収まった状態）、当該血液導入部４ｂから導入された血液を導出するよう形成する必要がある。
【００４６】
更に、図１２に示すように、血液導入部４ｂと血液導出部４ｃの両方が、ケースＣの軸から所定角度傾斜して延設されるよう構成してもよい。また更に、図１３に示すように、血液導出部４ｃを収容空間４ａ内において逆Ｕ字形に延設させ、その開口を血液導入部４ｂの開口と対向させるようにしてもよい。尚、何れの場合であっても、互いの開口は微小寸法のクリアランスを有して対向し、そのクリアランスの位置が収容空間の底面近傍に設定されるとともに、血液導出部４ｃは、血液導入部４ｂの開口の略全域を覆って開口する必要がある。
【００４７】
然るに、本実施形態においては、透析装置本体６が透析液供給機構が内蔵されない透析監視装置から成るもの、或いは透析液供給機構が内蔵された個人用透析装置の何れにも適用するようにしてもよい。また、本発明は、実施形態の如き血液透析療法の他、血液濾過療法や血液濾過透析療法等、他の血液浄化装置に適用することができる。
【産業上の利用可能性】
【００４８】
収容空間の下部に形成され、当該収容空間の底面近傍で開口しつつ血液を導入する血液導入部と、該血液導入部に対して微小寸法のクリアランスを介して互いの開口が対向する位置まで延設されるとともに、血液導入部の開口の略全域を覆って開口し、当該血液導入部から導入された血液を導出する血液導出部とを有した圧力測定用チャンバが血液回路に接続された血液浄化装置であれば、外観形状が異なるもの或いは他の機能が付加されたもの等にも適用することができる。
【図面の簡単な説明】
【００４９】
【図１】本発明の第１の実施形態の血液浄化装置を示す全体模式図
【図２】同血液浄化装置における血液回路に接続された圧力測定用チャンバを示す断面模式図
【図３】図２におけるＩＩＩ−ＩＩＩ線断面図
【図４】同圧力測定用チャンバに生理食塩水（プライミング液）が収容された状態を示す模式図
【図５】同圧力測定用チャンバに生理食塩水（プライミング液）に加え血液が収容された状態を示す模式図
【図６】本発明の第２の実施形態の血液浄化装置に接続された圧力測定用チャンバを示す断面模式図
【図７】本発明の第３の実施形態の血液浄化装置に接続された圧力測定用チャンバを示す断面模式図
【図８】本発明の更に他の実施形態における圧力測定用チャンバを示す断面模式図
【図９】本発明の更に他の実施形態における圧力測定用チャンバを示す断面模式図
【図１０】本発明の更に他の実施形態における圧力測定用チャンバを示す断面模式図
【図１１】本発明の更に他の実施形態における圧力測定用チャンバを示す断面模式図
【図１２】本発明の更に他の実施形態における圧力測定用チャンバを示す断面模式図
【図１３】本発明の更に他の実施形態における圧力測定用チャンバを示す断面模式図
【符号の説明】
【００５０】
１    血液回路
１ａ  動脈側血液回路
１ｂ  静脈側血液回路
２    ダイアライザ（血液浄化手段）
３    血液ポンプ
４    圧力測定用チャンバ
４ａ  収容空間
４ｂ  血液導入部
４ｃ  血液導出部
５    ドリップチャンバ（動脈側ドリップチャンバ）
６    透析装置本体
７    圧力計
８    生食バッグ
９    生理食塩水用ドリップチャンバ
１０  生理食塩水ライン
１１  気泡検出器
１２  ドリップチャンバ（静脈側ドリップチャンバ）
Ｌ３  圧モニタライン
α    生理食塩水（プライミング液）層
β    血液層
γ    気層
【図１】
2008132196.tif 000003
【図２】
2008132196.tif 000004
【図３】
2008132196.tif 000005
【図４】
2008132196.tif 000006
【図５】
2008132196.tif 000007
【図６】
2008132196.tif 000008
【図７】
2008132196.tif 000009
【図８】
2008132196.tif 000010
【図９】
2008132196.tif 000011
【図１０】
2008132196.tif 000012
【図１１】
2008132196.tif 000013
【図１２】
2008132196.tif 000014
【図１３】
2008132196.tif 000015